(57)【要約】      （修正有）【課題】従来のキャットタワーを置くスペースが無い場合にも設置可能であり、また、突っ張り棒を用いずとも転倒することが無く、さらに、猫の成長に応じて、自在にステップ等のアレンジを変更することができるとともに、拡張性にも優れたキャットタワーを提供する。【解決手段】板状パネルである基体１と、基体の一方の面の垂直方向の複数位置に設けられた開口であるパーツ取付け部２と、パーツ取付け部の開口形状に適合する嵌口部を有する複数のステップ３，４とを備える。基体の下辺部は敷居５の溝幅に嵌合する幅を有し、基体の上辺部は鴨居６の溝幅に嵌合する幅を有する。【選択図】図１
0003185662.tif 000002
【実用新案登録請求の範囲】
【請求項１】
板状パネルである基体と、
当該基体の一方の面の垂直方向の複数位置に設けられたパーツ取付け部と、
当該パーツ取付け部に脱着可能に取り付け可能な複数のステップと、
を備え、
上記基体の下辺部は敷居の溝幅に嵌合する幅を有し、
上記基体の上辺部は鴨居の溝幅に嵌合する幅を有する
ことを特徴とするキャットタワー。
【請求項２】
上記パーツ取付け部は、上記基体の一方の面の垂直方向の少なくともひとつの位置において、水平方向の複数位置に設けられ、
上記ステップの少なくともひとつは、上記水平方向の複数位置に設けられたパーツ取付け部により脱着可能に取り付け可能なステップである
ことを特徴とする請求項１に記載のキャットタワー。
【請求項３】
上記基体を２枚接して並べて設置した際に、
当該２枚の基体にそれぞれ設けられたパーツ取付け部にまたがって、上記水平方向の複数位置に設けられたパーツ取付け部により脱着可能に取り付け可能なステップを取付け可能である
ことを特徴とする請求項２に記載のキャットタワー。
【考案の詳細な説明】
【技術分野】
【０００１】
本考案は、猫が室内において昇り降りできるキャットタワーに関するものである。
【背景技術】
【０００２】
猫は、その可憐な容姿と愛くるしい仕草や鳴き声から、多くの家庭において家族同様に愛されている。
一方で、猫は人間と同様に神経質な性格を有し、ストレスを感じやすい動物でもある。特に、室内において飼育する場合、運動不足等からストレスを受けやすい。そのため、猫のストレス解消を目的とした玩具が数多く開発されている。
【０００３】
そのひとつがキャットタワーである。キャットタワーは、一般には２ｍ前後の高さを持つ支柱に、いくつかのステップを取付け、猫がステップを昇り降りできるようにした玩具である。猫は、その身軽さから高い場所を好む性質があり、キャットタワーは、運動不足の解消とともに、猫のそういった性質を満足させてやることで、猫のストレス解消に好適な玩具である。
【０００４】
ただし、猫は身体の大きさに比べて強い跳躍力を持つため、ステップからステップに飛び移る際には、キャットタワーに大きな衝撃が掛かる。このような大きな衝撃に耐えうる強度を有する支柱とステップ等との連結部材が提案されている（例えば、特許文献１）。
【０００５】
また、背の高いキャットタワーにおいては、上記の衝撃により、キャットタワー自体が転倒してしまう恐れもある。特に、最も高い位置のステップから猫が飛び降りた際には、キャットタワーに大きな回転力が生じるため、転倒が起こりやすい。そのため、部屋の天井に突っ張り棒を用いて固定する方法も提案されている（例えば、特許文献２）。
【先行技術文献】
【特許文献】
【０００６】
【特許文献１】特開２００９−１３８８４３
【特許文献２】特開２０１２−２４０６６
【考案の概要】
【考案が解決しようとする課題】
【０００７】
しかしながら、パイプ等の支柱にステップを取付けたキャットタワーにおいては、その連結部を強固にしたとしても、猫が跳躍を繰り返すことで、支柱に歪や曲りが生じることにより、連結部にも歪が生じてしまい、安全性や長期的な信頼性の観点において課題を有していた。
【０００８】
また、転倒を防ぐために突っ張り棒を用いて固定する方式においては、天井を痛めたり破損してしまうという問題がある。猫が跳躍を繰り返すことで、キャットタワー全体が衝撃を受け、それを受け止める天井に大きな力が繰り返し掛かるためである。天井は壁と異なり、強度の高い材質で作られおらず、このような衝撃に耐えるように設計されていない。
【０００９】
そもそも、突っ張り棒だけでは転倒を防止するには不十分であり、まず、基本として、床に設置されるベース部分の面積を広くし、その重量をできるだけ重くすることが必要である。しかし、ベース部分の面積を広くすれば、設置面積が大きくなり、欧米に比べて狭小な日本の住まいには不適である。また、ベース部分の重量を重くすると、構成部材のコストや運搬費が掛かるとともに、家庭内での設置作業を困難にするといった課題も生じる。
【００１０】
本発明は上記の課題等を解決するためになされたものであり、日本の家屋においては、部屋の出入り口や押し入れに普通に使用される襖や障子の敷居を利用したキャットタワーを提供するものである。
【課題を解決するための手段】
【００１１】
本考案に係るキャットタワーは、板状パネルである基体と、当該基体の一方の面の垂直方向の複数位置に設けられたパーツ取付け部と、当該パーツ取付け部に脱着可能に取り付け可能な複数のステップと、を備え、
上記基体の下辺部は敷居の溝幅に嵌合する幅を有し、上記基体の上辺部は鴨居の溝幅に嵌合する幅を有することを特徴とするものである。
【００１２】
さらに、本考案に係るキャットタワーの上記パーツ取付け部は、上記基体の一方の面の垂直方向の少なくともひとつの位置において、水平方向の複数位置に設けられ、上記ステップの少なくともひとつは、上記水平方向の複数位置に設けられたパーツ取付け部により脱着可能に取り付け可能なステップであることを特徴とするものである。
【００１３】
また、本考案に係るキャットタワーの上記基体を２枚接して並べて設置した際に、当該２枚の基体にそれぞれ設けられたパーツ取付け部にまたがって、上記水平方向の複数位置に設けられたパーツ取付け部により脱着可能に取り付け可能なステップを取付け可能であることを特徴とするものである。
【考案の効果】
【００１４】
本考案に係るキャットタワーは上記のように構成されるため、従来のキャットタワーを置くスペースが無い場合においても設置可能である。また、突っ張り棒を用いずとも転倒することが無く、さらに、猫の成長に応じて、自在にステップ等のアレンジを変更することができる。また、拡張性にも優れている。
【図面の簡単な説明】
【００１５】
【図１】本考案に係るキャットタワーを設置した際の正面模式図である。
【図２】本考案に係るキャットタワーに用いるステップの斜視図である。
【図３】本考案に係るキャットタワーを設置し、成長した猫に良好なアレンジを施した際の正面模式図である。
【図４】本考案に係るキャットタワーを２枚設置した際の正面模式図である。
【図５】本考案に係るキャットタワーを３枚設置した際の正面模式図である。
【考案を実施するための形態】
【００１６】
実施の形態１．
本考案に係るキャットタワーの構成等に関して、以下において、図面を用いて説明する。なお、以下の説明は本考案に関する良好な一例を開示するものであり、本考案が当該実施の形態に限定されるものではない。
【００１７】
まず、本考案に係るキャットタワーを設置した際の構成に関して、図１および図２を用いて説明する。
キャットタワーは、図１に示すように、板状の基体１と、基体１の一方の面に設けられたパーツ取付け部２と、パーツ取付け部２に着脱可能にしっかりと固定できるステップ（小）３およびステップ（大）４からなる。なお、図１において、パーツ取付け部２およびステップ（小）３は、複数個設けられているが、図が煩雑になるのを避けるため、図１においては、右上のパーツ取付け部およびステップ（小）にのみ引き出し線と番号「２」および「３」を付している。
【００１８】
基体１は、木材あるいは樹脂からなる板状物である。基体１の下辺は、敷居５の溝に嵌めこみできるように、敷居５に設けられた溝幅とほぼ同じ厚みを有している。また、基体１の上辺は、鴨居６の溝に嵌めこみできるように、鴨居６に設けられた溝幅とほぼ同じ厚みを有している。
一般的な敷居や鴨居の溝幅は約２１ｍｍであり、基体１の下辺および上辺の厚みも約２１ｍｍである。
下辺と上辺以外の基体１の厚みは、下辺と上辺と同様に２１ｍｍとしても良いが、やや厚めに、例えば２６ｍｍ程度としても良い。あるいは、基体１の上部は薄く、基体１の下部はやや厚めにし、山状に作製しても良い。例えば、基体１の上部の厚みを２１ｍｍとし、下に行くにしたがって徐々に厚くし、最下部付近の厚みを２６ｍｍ程度とすることで、設置した際により安定な形状とすることも可能である。
【００１９】
また、基体１の高さは、敷居５と鴨居６の間隔に合うように作製されている。
この基体１を設置する際には、右側の襖８Ｒを左側に開き、この右側の襖８Ｒが嵌めこまれている敷居５と鴨居６の溝部に基体１を設置する。設置する方法は、襖や障子と同様に、敷居５と鴨居６の溝に嵌めこんで設置する。
このように基体１を設置することで、左側の襖８Ｌは、右側の柱７Ｒから左側の柱７Ｌまで、自由に開閉ができる。
【００２０】
基体１の一方の面には、異なる高さに複数個のパーツ取付け部２が設けられている。本実施の形態においては、パーツ取付け部２は、基体１に開けられた開口である。この開口であるパーツ取付け部２に、ステップ（小）３およびステップ（大）４をしっかりと嵌めこんで固定できる。
図２（ａ）に示すように、ステップ（小）３は、ステップ部３Ａと嵌合部３Ｂからなり、嵌合部３Ｂをパーツ取付け部２に嵌めこむことで、ステップ（小）３全体を基体１に着脱可能に固定できる。
【００２１】
ステップ（大）４についても同様であり、２つのパーツ取付け部２に、図２（ｂ）に示す２つの嵌合部４Ｂをそれぞれ嵌めこんで、ステップ（大）４全体を基体１に着脱可能に固定できる。ステップ（大）４は横長であるため、このように２か所で固定することで、より安定な固定ができる。例えば、ステップ（大）４の右端あるいは左端から猫が飛び降りても、ステップ（大）４と基体１の固定はしっかりと保たれる。
【００２２】
なお、ステップ（大）４を取付けるためには、２つの嵌合部４Ｂの間隔と同間隔でパーツ取付け部２を設けることが必要である。そのため、基体１の各高さ位置に、２つのパーツ取付け部２をこの間隔で隣接させて設けている。このようにすることで、ステップ（大）４をどの高さ位置にも取り付けることができる。
【００２３】
本考案に係るキャットタワーの特徴のひとつは、ステップ（小）３やステップ（大）４を着脱可能に基体１に固定可能にしたことである。すなわち、ステップの位置を自由にアレンジできる。このため、時々アレンジを変更することで、猫が飽きずにキャットタワーで遊ぶことができる。
【００２４】
また、猫の成長に合わせて、アレンジすることも可能である。例えば、図３に示すように、ステップの高さ位置を離したアレンジにすれば、成長した猫が大きな跳躍を楽しむことができる。
【００２５】
なお、本実施の形態においては、パーツ取付け部２として開口を設けたが、開口ではなく、取り付け金具等を用いて、ステップを取付けるようにしても良い。すなわち、着脱可能で、且つしっかりとステップを固定できるならば、どのような取付け方法であっても良い。
【００２６】
また、基体１の各高さ位置に、それぞれ２個のパーツ取付け部２を設けたが、それぞれ３個、あるいはそれ以上のパーツ取付け部２を設けても良い。ステップ（大）４を取付けるための２つの嵌合部４Ｂの間隔と同間隔に、隣接してパーツ取付け部２を設けるのであれば、いくつのパーツ取付け部２を設けても良い。
また、嵌合部４Ｂの間隔の半分の間隔で、３個以上のパーツ取付け部２を設けてもよい。このようにすれば、一つ飛ばしのパーツ取付け部２に、２つの嵌合部４Ｂを嵌めこむことができる。
【００２７】
さらに、パーツ取付け部２にステップ以外のパーツを取付けても良い。例えば、吊り橋やハンモック、あるいは猫ボックスや爪とぎ等を固定できるようにしても良い。
【００２８】
本考案に係るキャットタワーは以上のように構成されているので、下記に示す多くの特長を有している。
第一に、キャットタワーを設置するスペースが不要である。日本の住宅事情は決して良好とは言えず、設置スペースが無いために、キャットタワーの購入をあきらめる家族もいる。本考案に係るキャットタワーは、多くの日本の住宅にある障子や襖を嵌める溝を利用して設置できるため、居住スペースに悩む家族も導入可能である。
【００２９】
第二に、設置するベース部の重量を重くしたり、突っ張り機構を設けることなく、転倒しにくいキャットタワーを提供できる。したがって、コスト低減が可能であり、設置作業も容易である。
【００３０】
第三に、キャットタワーの基体として板状物を用いているため、猫が跳躍する際に生じる強い衝撃に対しても大きな耐久性を有している。支柱を用いる従来品に比べ、長期的な耐久性の点で著しく優れている。
【００３１】
第四に、アレンジを自由に変更できるため、猫が飽きることなく遊ぶことができる。また、猫の成長に応じて適切なアレンジに変更できるため、子猫の時期から使用を開始した場合であっても、成長して大人の猫になった後も継続して使用することができる。
【００３２】
第五に、棚やインテリアとしても使用できる。従来のキャットタワーは、猫がいなくなった際には無用の長物と化してしまうが、本考案に係るキャットタワーの場合、棚位置を自由にアレンジできるインテリア性を有する家具としても活用が可能である。
【００３３】
実施の形態２．
本実施の形態では、実施の形態１で説明したキャットタワーを２枚並べて設置している。
設置の際には、右側の襖８Ｒを取り去り、この右側の襖８Ｒを嵌めこんでいた溝に、図４に示すように、基体１を２枚接して並べて設置する。
【００３４】
基体１を２枚並べて設置することで、より多様なステップのアレンジが可能となる。特に、パーツ取付け部２の水平位置を工夫することで、アレンジの幅が大きく広がる。具体的には、図４に示すように、同じ高さ位置にあるパーツ取付け部２から基体１の左右両端までの水平距離をそれぞれａ、ｃとした場合、ａ＋ｃが、ステップ（大）４を取付けるための２つの嵌合部４Ｂの間隔ｂと等しくなるようにすれば、２枚の基体１にまたがって、ステップ（大）４を取付けることができるので、アレンジの組合せが格段に多様化する。
【００３５】
本考案に係るキャットタワーを導入する家族は、最初は実施の形態１に開示した１枚だけで使用し、さらに多様なアレンジを求めて、追加でさらに１枚購入する場合が考えられる。そのような場合、各高さ位置におけるパーツ取付け部２の水平位置を、上述のようにａ＋ｃ＝ｂとなる関係にしておけば、ステップ（大）４を２枚の基体１にまたがって取り付けることが必ず可能となる。
【００３６】
また、２枚の基体１がステップ（大）４により結合されるため、キャットタワー全体として、より強度が増すというメリットも生じる。
以上のように、２枚の基体１を並べて使用することで、実施の形態１に記した特長に加えて、さらにアレンジの多様性と、機械的強度の向上が実現できる。
【００３７】
実施の形態３．
本実施の形態では、実施の形態１で説明したキャットタワーを３枚並べて設置している。図５に示すように、実施の形態２で示した２枚並べた構成よりも、さらにアレンジの多様性が実現できる。
【００３８】
実施の形態２および実施の形態３で示したように、本考案に係るキャットタワーは、日本の典型的な住居における部屋の出入口や押し入れの構成を活かして設置することで、数を増やすという拡張性を容易に確保できる。さらに、各高さ位置におけるパーツ取付け部２の水平位置を工夫することで、アレンジの多様性を一段と高める拡張が可能となる。
【符号の説明】
【００３９】
１  キャットタワー基体
２  パーツ取付け部  
３  ステップ（小）
４  ステップ（大）
【図１】
0003185662.tif 000003
【図２】
0003185662.tif 000004
【図３】
0003185662.tif 000005
【図４】
0003185662.tif 000006
【図５】
0003185662.tif 000007
【手続補正書】
【提出日】平成25年6月22日(2013.6.22)
【手続補正１】
【補正対象書類名】実用新案登録請求の範囲
【補正対象項目名】全文
【補正方法】変更
【補正の内容】
【実用新案登録請求の範囲】
【請求項１】
板状パネルである基体と、
当該基体の一方の面の垂直方向の複数位置に設けられた開口であるパーツ取付け部と、
当該パーツ取付け部の開口形状に適合する嵌合部を有する複数のステップと、
を備え、
上記基体の下辺部は敷居の溝幅に嵌合する幅を有し、
上記基体の上辺部は鴨居の溝幅に嵌合する幅を有する
ことを特徴とするキャットタワー。
【請求項２】
上記パーツ取付け部は、上記基体の一方の面の垂直方向の少なくともひとつの位置において、水平方向の複数位置に設けられ、
上記ステップの少なくともひとつは、上記水平方向の複数位置に設けられたパーツ取付け部の開口形状に適合する複数の嵌合部を有するステップである
ことを特徴とする請求項１に記載のキャットタワー。
【請求項３】
上記基体の一方の面の垂直方向の少なくともひとつの位置において、水平方向の複数位置に設けられた上記パーツ取付け部の内、水平方向の最も左に位置するパーツ取付け部中心から上記基体の左端までの距離をａ、水平方向の最も右に位置するパーツ取付け部中心から上記基体の右端までの距離をｃ、隣接するパーツ取付け部の間隔をｂとした場合に、
ａ＋ｃ＝ｂ
の関係を満足することを特徴とする請求項２に記載のキャットタワー。